(57)【要約】【課題】主に各種電子機器の遠隔操作に用いられるリモコン送信機に関し、誤操作がなく、多様な操作が可能なものを提供することを目的とする。【解決手段】静電タッチパネル１２上面を覆うカバーシート１３下面に、静電タッチパネル１２上面と所定の間隙を空けて対向する導電層１３Ａを設けることによって、カバーシート１３上面に水等の液体４５が付着した場合でも、摺動操作の際、指が触れ静電タッチパネル１２上面に接触した箇所の導電層１３Ａを介してのみ、微弱な電流が静電タッチパネル１２から指に流れ、制御手段１０が指の操作位置を確実に検出できるため、誤操作がなく、多様な操作が可能なリモコン送信機を得ることができる。【選択図】図１
2010062607.tif 000002
【特許請求の範囲】
【請求項１】
ケース上面に装着された静電タッチパネルと、この静電タッチパネル上面を覆うカバーシートと、上記静電タッチパネルの操作に応じて送信手段からリモコン信号を送信する制御手段からなり、上記カバーシート下面に、上記静電タッチパネル上面と所定の間隙を空けて対向する導電層を形成したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図６〜図９を用いて説明する。
【０００４】
なお、これらの図面は構成を判り易くするために、部分的に寸法を拡大して表している。
【０００５】
図７は従来のリモコン送信機の断面図、図８は同分解斜視図であり、同図において、１は略箱状で絶縁樹脂製のケース、２は上面または上下面に複数の電極が所定の間隙を設けて直交方向に配列された静電タッチパネルで、ケース１上面の開口孔に静電タッチパネル２が装着されている。
【０００６】
そして、３はフィルム状のカバーシート、４は絶縁樹脂製の保持体で、保持体４上に静電タッチパネル２が載置されると共に、静電タッチパネル２上面をカバーシート３が覆っている。
【０００７】
また、５はゴム等の操作体で、下方に略ドーム状の薄肉部が形成され、下面に可動接点６が形成された複数の操作部５Ａが設けられると共に、これらの操作部５Ａがケース１上面の貫通孔から上下動可能に突出している。
【０００８】
さらに、静電タッチパネル２下方の操作体５上面には、操作部５Ａと同様に下面に可動接点６が形成された押圧部５Ｂが設けられると共に、この押圧部５Ｂ上面に保持体４下面の突出部４Ａが当接している。
【０００９】
そして、７は上下面に複数の配線パターン（図示せず）が形成された配線基板で、この上面には操作部５Ａや押圧部５Ｂ下面の可動接点６と、所定の間隙を空けて対向する複数の固定接点８が形成されている。
【００１０】
また、配線基板７の上下面には、発光ダイオード等のリモコン信号を送信する送信手段９や、配線パターンを介して静電タッチパネル２や複数の固定接点８、送信手段９に接続されたマイコン等の制御手段１０が形成されると共に、ケース１下面を絶縁樹脂製のカバー１１が覆って、リモコン送信機が構成されている。
【００１１】
以上の構成において、リモコン送信機を操作する電子機器に向けて、指で所定の操作部５Ａの上面を押圧操作すると、略ドーム状の薄肉部が弾性変形して操作部５Ａが下方へ移動し、この下面の可動接点６が複数の固定接点８に接触して、可動接点６を介して複数の固定接点８の電気的接離が行われ、この電気的接離に応じて制御手段１０が、送信手段９から赤外線のリモコン信号を電子機器へ送信し、例えば、テレビの電源の入／切や音量の増減等が遠隔操作によって行われる。
【００１２】
また、図６の正面図に示すように、遠隔操作する電子機器４０の表示画面４１に、例えば番組表や番組案内等のメニューが表示された状態で、カバーシート３上面に指を触れ、指をなぞるように前後左右に移動して摺動操作すると、この指に静電タッチパネル２の電荷の一部が導電し、操作した箇所の電極の容量が変化するため、これによって静電タッチパネル２のどの箇所からどの箇所へ指が移動したのかを制御手段１０が検出する。
【００１３】
そして、この指の移動に応じたリモコン信号を、制御手段１０が送信手段９から機器へ送信し、例えば、表示画面４１に表示されたカーソル４２やポインタ４３等が、指の移動した上下方向や左右方向へ移動して、番組表や番組案内等のメニューの選択が行われる。
【００１４】
さらに、カーソル４２やポインタ４３等が所望の番組やメニュー上に位置した状態で、カバーシート３上面を押圧操作すると、静電タッチパネル２や保持体４が下方へ移動し、保持体４下面の突出部４Ａが操作体５の押圧部５Ｂ上面を押圧する。
【００１５】
そして、所定の力が加わると、略ドーム状の薄肉部が弾性変形して押圧部５Ｂが下方へ移動し、下面の可動接点６によって複数の固定接点８の電気的接離が行われ、この固定接点８の電気的接離を制御手段１０が検出して、送信手段９からリモコン信号を機器へ送信し、例えば、番組の予約や次のメニューの表示等が行われる。
【００１６】
つまり、複数の操作部５Ａの押圧操作によって、電源や音量といった機器の各機能の遠隔操作を行うと共に、カバーシート３を介して静電タッチパネル２を摺動操作することによって、番組表等の表示画面４１に表示されたメニューの選択を行い、さらにカバーシート３を押圧操作し、この下方の押圧部５Ｂを弾性反転させることによって、メニューの確定や次メニューの表示等を、遠隔操作によって行うことができるように構成されているものであった。
【００１７】
なお、この出願の発明に関連する先行技術文献情報としては、例えば、特許文献１が知られている。
【特許文献１】特開２００７−１４１２６９号公報
【発明の開示】
【発明が解決しようとする課題】
【００１８】
しかしながら、上記従来のリモコン送信機においては、図９の部分断面図に示すように、カバーシート３上面に水等の液体４５が、指よりも広い面積の範囲に付着していた場合、摺動操作の際、微弱な電流が静電タッチパネル２から直接指に流れるほか、液体４５を介して静電タッチパネル２の広い範囲からも流れるため、指がカバーシート３のどこに触れているかを制御手段１０が検出できず、誤操作が生じ易くなってしまうという課題があった。
【００１９】
本発明は、このような従来の課題を解決するものであり、誤操作がなく、多様な操作が可能なリモコン送信機を提供することを目的とする。
【課題を解決するための手段】
【００２０】
上記目的を達成するために本発明は、静電タッチパネル上面を覆うカバーシート下面に、静電タッチパネル上面と所定の間隙を空けて対向する導電層を形成してリモコン送信機を構成したものであり、カバーシート上面に水等の液体が付着した場合でも、摺動操作の際、指が触れ、静電タッチパネル上面に接触した箇所のカバーシート下面の導電層を介してのみ、微弱な電流が静電タッチパネルから指に流れ、制御手段が指の操作位置を確実に検出できるため、誤操作がなく、多様な操作が可能なリモコン送信機を得ることができるという作用を有するものである。
【発明の効果】
【００２１】
以上のように本発明によれば、誤操作がなく、多様な操作が可能なリモコン送信機を実現できるという有利な効果が得られる。
【発明を実施するための最良の形態】
【００２２】
以下、本発明の実施の形態について、図１〜図６を用いて説明する。
【００２３】
なお、これらの図面は構成を判り易くするために、部分的に寸法を拡大して表している。
【００２４】
（実施の形態）
図１は本発明の一実施の形態によるリモコン送信機の断面図、図２は同分解斜視図であり、同図において、１は略箱状でポリスチレンやＡＢＳ等の絶縁樹脂製のケース、１２は静電タッチパネルで、ケース１上面の開口孔に静電タッチパネル１２が装着されている。
【００２５】
そして、この静電タッチパネル１２は、ポリエーテルサルホンやポリカーボネート、ポリエチレンテレフタレート等のフィルム状のシートから形成されると共に、この上面または上下面には、所定幅または略方形状が連結された略帯状で酸化インジウム錫や酸化錫、あるいはカーボンや銀等の複数の電極が、所定の間隙を設けて直交方向に配列されて形成されている。
【００２６】
また、１３は下面開口の略箱状でウレタンやシリコーンゴム、エラストマー等のカバーシート、１４は絶縁樹脂製の保持体で、保持体１４上に静電タッチパネル１２が載置されると共に、図３の部分斜視図に示すように、カバーシート１３下面にはカーボンや銀等の導電層１３Ａが形成され、このカバーシート１３が静電タッチパネル１２上面を覆っている。
【００２７】
さらに、カバーシート１３上面にはウレタン等のコート層（図示せず）が形成されると共に、カバーシート１３の折曲された外周が保持体１４外周に嵌合し、カバーシート１３下面の導電層１３Ａと静電タッチパネル１２上面が、所定の間隙を空けて対向している。
【００２８】
そして、５はゴムやエラストマー等の操作体で、下方に略ドーム状の薄肉部が形成され、下面にカーボンや銀等の可動接点６が形成された複数の操作部５Ａが設けられると共に、これらの操作部５Ａがケース１上面の貫通孔から上下動可能に突出している。
【００２９】
また、静電タッチパネル１２下方の操作体５上面には、操作部５Ａと同様に下面に可動接点６が形成された押圧部５Ｂが設けられると共に、この押圧部５Ｂ上面に保持体１４下面の突出部１４Ａが当接している。
【００３０】
さらに、７は紙フェノールやガラス入りエポキシ等の配線基板で、上下面には銅箔等によって複数の配線パターン（図示せず）が形成されると共に、上面には操作部５Ａや押圧部５Ｂ下面の可動接点６と、所定の間隙を空けて対向するカーボン等の複数の固定接点８が形成されている。
【００３１】
そして、配線基板７の上下面には、発光ダイオード等のリモコン信号を送信する送信手段９や、配線パターンを介して静電タッチパネル１２や複数の固定接点８、送信手段９に接続されたマイコン等の制御手段１０が形成されると共に、ケース１下面を絶縁樹脂製のカバー１１が覆って、リモコン送信機が構成されている。
【００３２】
以上の構成において、リモコン送信機を操作する電子機器に向けて、指で所定の操作部５Ａの上面を押圧操作すると、略ドーム状の薄肉部が弾性変形して操作部５Ａが下方へ移動し、この下面の可動接点６が複数の固定接点８に接触して、可動接点６を介して複数の固定接点８の電気的接離が行われ、この電気的接離に応じて制御手段１０が、送信手段９から赤外線のリモコン信号を電子機器へ送信し、例えば、テレビの電源の入／切や音量の増減等が遠隔操作によって行われる。
【００３３】
また、図６の正面図に示すように、遠隔操作する電子機器４０の表示画面４１に、例えば番組表や番組案内等のメニューが表示された状態で、カバーシート１３上面に指を触れ、指をなぞるように前後左右に移動して摺動操作すると、図４の部分断面図に示すように、カバーシート１３が撓んで、下面の導電層１３Ａが静電タッチパネル１２上面に接触し、導電層１３Ａを介して指に静電タッチパネル１２の電荷の一部が導電し、操作した箇所の電極の容量が変化する。
【００３４】
そして、これによって静電タッチパネル１２のどの箇所からどの箇所へ指が移動したのかを制御手段１０が検出すると共に、この指の移動に応じたリモコン信号を、制御手段１０が送信手段９から機器へ送信し、例えば、表示画面４１に表示されたカーソル４２やポインタ４３等が、指の移動した上下方向や左右方向へ移動して、番組表や番組案内等のメニューの選択が行われる。
【００３５】
なお、指を右上や左下といった斜め方向、あるいは、円弧や円環状に移動して摺動動作した場合にも、これを制御手段１０が検出して、表示画面４１のカーソル４２やポインタ４３等が斜め方向や円弧状に移動して、番組表内等のメニューの選択が行われる。
【００３６】
また、この時、図４の部分断面図に示すように、カバーシート１３上面に水等の液体４５が、指よりも広い面積の範囲に付着していた場合でも、静電タッチパネル１２からの微弱な電流は、指が触れてカバーシート１３が撓み、この下面の静電タッチパネル１２上面に接触した箇所の導電層１３Ａを介してのみ、指に流れるようになっている。
【００３７】
すなわち、カバーシート１３下面に静電タッチパネル１２上面と所定の間隙を空けて対向する導電層１３Ａを設けることによって、カバーシート１３上面に水等の液体４５が付着した場合でも、摺動操作の際、指が触れ静電タッチパネル１２上面に接触した箇所の、カバーシート１３下面の導電層１３Ａを介してのみ、微弱な電流が静電タッチパネル１２から指に流れるため、制御手段１０が誤りなく確実に指の操作位置を検出できるように構成されている。
【００３８】
さらに、カーソル４２やポインタ４３等が所望の番組やメニュー上に位置した状態で、カバーシート１３上面を押圧操作すると、静電タッチパネル１２や保持体１４が下方へ移動し、保持体１４下面の突出部１４Ａが操作体５の押圧部５Ｂ上面を押圧する。
【００３９】
そして、所定の力が加わると、略ドーム状の薄肉部が弾性変形して押圧部５Ｂが下方へ移動し、下面の可動接点６によって複数の固定接点８の電気的接離が行われ、この固定接点８の電気的接離を制御手段１０が検出して、送信手段９からリモコン信号を機器へ送信し、例えば、番組の予約や次のメニューの表示等が行われる。
【００４０】
なお、カバーシート１３上面から指を離すと、押圧部５Ｂの弾性復帰力によって、静電タッチパネル１２や保持体１４が上方へ戻され元の状態に復帰する。
【００４１】
つまり、複数の操作部５Ａの押圧操作によって、電源や音量といった機器の各機能の遠隔操作を行うと共に、カバーシート１３を介して静電タッチパネル１２を摺動操作することによって、番組表等の表示画面４１に表示されたメニューの選択を行い、さらにカバーシート１３を押圧操作し、この下方の押圧部５Ｂを弾性反転させることによって、メニューの確定や次メニューの表示等を、遠隔操作によって行うことができるように構成されている。
【００４２】
そして、このようなカバーシート１３上面の摺動操作を行う際、上述したように、カバーシート１３下面に形成した導電層１３Ａを、静電タッチパネル１２上面と所定の間隙を空けて対向させると共に、指でこれを撓ませて、操作した箇所の導電層１３Ａを静電タッチパネル１２上面に接触させることによって、カバーシート１３上面に水等の液体４５が付着した場合でも、制御手段１０が指の操作位置を誤りなく確実に検出することが可能なようになっている。
【００４３】
また、カバーシート１３上面にウレタン等のコート層を設けることによって、カバーシート１３内への油分の浸透や汚れの付着等を低減すると共に、指の滑らかな摺動操作を行えるように形成されている。
【００４４】
なお、以上の説明では、下面開口で略箱状のカバーシート１３外周を保持体１４外周に嵌合させ、下面の導電層１３Ａと静電タッチパネル１２上面を所定間隙で対向させた構成について説明したが、図５の分解斜視図に示すように、下面に導電層１３Ａが形成されたフィルム状のカバーシート１７を、略額縁状で上下面に接着剤が塗布されたスペーサ１８を用いて、保持体１４に貼付し、導電層１３Ａと静電タッチパネル１２上面とを、所定の間隙を空けて対向させる構成としても、本発明の実施は可能である。
【００４５】
このように本実施の形態によれば、静電タッチパネル１２上面を覆うカバーシート１３下面に、静電タッチパネル１２上面と所定の間隙を空けて対向する導電層１３Ａを設けることによって、カバーシート１３上面に水等の液体４５が付着した場合でも、摺動操作の際、指が触れ静電タッチパネル１２上面に接触した箇所の導電層１３Ａを介してのみ、微弱な電流が静電タッチパネル１２から指に流れ、制御手段１０が指の操作位置を確実に検出できるため、誤操作がなく、多様な操作が可能なリモコン送信機を得ることができるものである。
【００４６】
なお、以上の説明では、操作部５Ａや押圧部５Ｂ下面に可動接点６を形成すると共に、これらを上下動させて配線基板７上面の固定接点８と電気的接離を行う構成について説明したが、固定接点８上面に略ドーム状で導電金属薄板製の可動接点を載置した構成や、あるいは、配線基板７上面に単品のプッシュスイッチを実装した構成等、様々なスイッチ接点を用いた構成としても、本発明の実施は可能である。
【産業上の利用可能性】
【００４７】
本発明によるリモコン送信機は、誤操作がなく、多様な操作が可能なものが得られ、主に各種電子機器の遠隔操作用として有用である。
【図面の簡単な説明】
【００４８】
【図１】本発明の一実施の形態によるリモコン送信機の断面図
【図２】同分解斜視図
【図３】同部分斜視図
【図４】同部分断面図
【図５】同他の実施の形態による分解斜視図
【図６】電子機器の正面図
【図７】従来のリモコン送信機の断面図
【図８】同分解斜視図
【図９】同部分断面図
【符号の説明】
【００４９】
１  ケース
５  操作体
５Ａ  操作部
５Ｂ  押圧部
６  可動接点
７  配線基板
８  固定接点
９  送信手段
１０  制御手段
１１  カバー
１２  静電タッチパネル
１３  カバーシート
１３Ａ  導電層
１４  保持体
１４Ａ  突出部
４０  電子機器
４１  表示画面
４２  カーソル
４３  ポインタ
４５  液体
【図１】
2010062607.tif 000003
【図２】
2010062607.tif 000004
【図３】
2010062607.tif 000005
【図４】
2010062607.tif 000006
【図５】
2010062607.tif 000007
【図６】
2010062607.tif 000008
【図７】
2010062607.tif 000009
【図８】
2010062607.tif 000010
【図９】
2010062607.tif 000011